(57)【要約】【課題】枕木の断面形状や断面の縦方向の長さが変更されたり、経年変化により枕木の断面に多少の寸法の違いが生じても、その変更や多少の寸法の違いに対応して固定することができる枕木用固定具および安全帯支持装置を提供すること。【解決手段】梁部１１は、枕木断面の横幅よりも長く、かつ、その両側に一対の挟持枠１２，１２を回動自在に支持する軸部１１１ａ，１１１ａが設けられる一方、その軸部１１１ａ，１１１ａの間に枕木を縦方向に押さえるための第１クランプボルト１３，１３が螺合する第１ボルト孔１１４，１１４が設けられている。また、一対の挟持枠１２，１２は、枕木断面の縦幅よりも長く、かつ、下部には内側に延び枕木の下側面に当接する下側面支持部１２１，１２１を有する一方、上部が梁部２の軸部１１１ａ，１１１ａに回動可能に取付けられ、軸部１１１ａ，１１１ａより上側には、それぞれ、枕木を横方向に押さえるための第２クランプボルト１４，１４が螺合する第２ボルト孔１２２，１２２が設けられている。【選択図】図２
2014055489.tif 000002
【特許請求の範囲】
【請求項１】
枕木に固定される枕木用固定具であって、
梁部と、一対の挟持枠とを有し、
梁部は、枕木断面の横幅よりも長く、かつ、その両側に一対の挟持枠を回動自在に支持する軸部が設けられる一方、その軸部の間に枕木を縦方向に押さえるための第１クランプボルトが螺合する第１ボルト孔が設けられ、
一対の挟持枠は、枕木断面の縦幅よりも長く、かつ、下部には内側に延び枕木の下側面に当接する下側面支持部を有する一方、上部が梁部の両側の軸部にそれぞれ回動可能に取付けられ、軸部より上側には、それぞれ、枕木を横方向に押さえるための第２クランプボルトが螺合する第２ボルト孔が設けられ、
第２クランプボルトの先端部を梁部の左右両側の側面にそれぞれ当接させて回転させることにより、一対の挟持枠の下端部をそれぞれ枕木の方に移動させて、一対の挟持枠により枕木を左右両側から挟持すると共に、第１クランプボルトを回転させてその先端部と一対の挟持枠それぞれの下側面支持部とにより上下両側から枕木を挟持することを特徴とする枕木用固定具。
【請求項２】
請求項１記載の枕木用固定具において、
一対の挟持枠の下側面支持部には、それぞれ、先端が鋭利に形成され上方に突出し、枕木の下側面に突き刺さる先鋭突出部が設けられていることを特徴とする枕木用固定具。
【請求項３】
請求項１または請求項２記載の枕木用固定具において、
一対の挟持枠における軸部より上側には、その軸部から上端部に向かうに従って外側に傾斜した傾斜板が設けられており、その傾斜板に第２ボルト孔が設けられていることを特徴とする枕木用固定具。
【請求項４】
請求項１〜請求項３のいずれか一の請求項に記載の枕木用固定具において、
一対の挟持枠の下端部には、枕木断面の縦方向の長さに応じて下側面支持部の取り付け高さを変更できるように上下方向に複数段の取付け孔が設けられていることを特徴とする枕木用固定具。
【請求項５】
請求項１〜請求項４のいずれか一の請求項に記載の枕木用固定具の梁部の中央には、支柱が設けられており、その枕木用固定具を所定間隔だけ離れた枕木に固定して、所定間隔だけ離れて固定された枕木用固定具の支柱の上部同士をパイプまたは親綱により連結して、そのパイプまたは親綱に安全帯の他端を通したことを特徴とする安全帯支持装置。
【発明の詳細な説明】
【技術分野】
【０００１】
本発明は、枕木に固定される枕木用固定具、およびその枕木用固定具に支柱を取り付け、支柱の上部同士をパイプまたは親綱により連結して、そのパイプまたは親綱に安全帯の他端を通した安全帯支持装置に関する。
【背景技術】
【０００２】
本出願人は、コンクリート製枕木を一対の挟持枠により挟持して、特定の使用目的の物品（機器）を枕木に取付けるようにした枕木用固定具を提案している（例えば、特許文献１参照。）。
【先行技術文献】
【特許文献】
【０００３】
【特許文献１】特開平２０１２−４１７９１号公報
【発明の概要】
【発明が解決しようとする課題】
【０００４】
ところで、枕木には、コンクリート製だけでなく、木製やプラスチック製ものがあり、その断面形状には、台形形状のものや、正方形状、さらには長方形状等、複数種類あり、その断面の縦方向の長さも複数種類ある。
【０００５】
しかしながら、前述の特許文献１の枕木用固定具では、枕木を両側から挟持する挟持枠は、枕木を確実に挟持できるよう、予め枕木の断面形状に合わせてその内側面の形状を形成していたため、枕木の断面形状や断面の縦方向の長さが変更されると、対応できず使用できないという問題があった。また、たとえ断面形状が同じ枕木でも、経年変化などにより、多少の寸法の違いが発生してくる。
【０００６】
そこで、本発明は、枕木の断面形状や断面の縦方向の長さが変更されたり、経年変化により枕木の断面に多少の寸法の違いが生じても、その変更や多少の寸法の違いに対応して固定することができる枕木用固定具および安全帯支持装置を提供することを目的とする。
【課題を解決するための手段】
【０００７】
前記課題を解決するため、本発明の枕木用固定具は、枕木に固定される枕木用固定具であって、梁部と、一対の挟持枠とを有し、梁部は、枕木断面の横幅よりも長く、かつ、その両側に一対の挟持枠を回動自在に支持する軸部が設けられる一方、その軸部の間に枕木を縦方向に押さえるための第１クランプボルトが螺合する第１ボルト孔が設けられ、一対の挟持枠は、枕木断面の縦幅よりも長く、かつ、下部には内側に延び枕木の下側面に当接する下側面支持部を有する一方、上部が梁部の両側の軸部にそれぞれ回動可能に取付けられ、軸部より上側には、それぞれ、枕木を横方向に押さえるための第２クランプボルトが螺合する第２ボルト孔が設けられ、第２クランプボルトの先端部を梁部の左右両側の側面にそれぞれ当接させて回転させることにより、一対の挟持枠の下端部をそれぞれ枕木の方に移動させて、一対の挟持枠により枕木を左右両側から挟持すると共に、第１クランプボルトを回転させてその先端部と一対の挟持枠それぞれの下側面支持部とにより上下両側から枕木を挟持することを特徴とする。
ここで、一対の挟持枠の下側面支持部には、それぞれ、先端が鋭利に形成され上方に突出し、枕木の下側面に突き刺さる先鋭突出部が設けられていると良い。
また、一対の挟持枠における軸部より上側には、その軸部から上端部に向かうに従って外側に傾斜した傾斜板が設けられており、その傾斜板に第２ボルト孔が設けられていると良い。
また、一対の挟持枠の下端部には、枕木断面の縦方向の長さに応じて下側面支持部の取り付け高さを変更できるように上下方向に複数段の取付け孔が設けられていると良い。
また、本発明の安全帯支持装置では、上述の枕木用固定具の梁部の中央に支柱が設けられており、その枕木用固定具を所定間隔だけ離れた枕木に固定して、所定間隔だけ離れて固定された枕木用固定具の支柱の上部同士をパイプまたは親綱により連結して、そのパイプまたは親綱に安全帯の他端を通したことを特徴とする。
【発明の効果】
【０００８】
本発明の枕木用固定具および安全帯支持装置では、一対の挟持枠の上端部の第２クランプボルトを回転させてその先端部を梁部の左右両側の側面にそれぞれ当接させて回転させることにより、一対の挟持枠の下端部をそれぞれ枕木の方に移動させて、一対の挟持枠により枕木を左右両側から挟持する一方、梁部側の第１クランプボルトを回転させてその先端部と一対の挟持枠それぞれの下側面支持部とにより上下両側から枕木を挟持するようにしたため、枕木の断面形状や断面の縦方向の長さが変更されたり、経年変化により枕木の断面に多少の寸法の違いが生じても、その変更や多少の寸法の違いに対応して枕木に固定できる。
【図面の簡単な説明】
【０００９】
【図１】本発明に係る枕木用固定具と支柱を使用してパイプを作業者のほぼ腰高に配設し、安全帯（命綱）を通した安全帯支持装置の一例を示す説明図である。
【図２】この枕木用固定具の正面図である。
【図３】（ａ），（ｂ）それぞれ、この枕木用固定具の平面図、底面図である。
【図４】この枕木用固定具の左側面図である。
【図５】図４におけるＡ−Ａ線断面図である。
【図６】（ａ），（ｂ）それぞれ、この枕木用固定具を枕木に固定する際の状態を示す正面図である。
【図７】（ａ），（ｂ）それぞれ、この枕木用固定具を枕木に固定する際の状態を示す正面図である。
【図８】この枕木用固定具に支柱を取付けた状態を示す正面図である。
【図９】最下段の取付け孔に下側面支持部を取付けた状態を示す正面図である。
【図１０】最上段の取付け孔に下側面支持部を取付けた状態を示す正面図である。
【発明を実施するための形態】
【００１０】
次に、本発明に係る枕木用固定具１、およびこの枕木用固定具１を使用した安全帯支持装置について、図面を参照して説明する。
【００１１】
図１に示すように、この枕木用固定具１は、例えば、橋梁６等の高所における保線作業時に木製やプラスチック製等の枕木２に所定間隔で固定されると共に、各枕木用固定具１に支柱４が固定され、その支柱４間にパイプ３を取り付け、そのパイプ３に作業者に一端が連結された安全帯（命綱）５の他端を移動自在に通して安全帯支持装置を構成している。
【００１２】
ここで、支柱４間に取り付けるパイプ３の高さは、作業者が時には手で掴み、かつ、安全帯（命綱）５が作業者の足元まで垂れ下がって作業の邪魔にならないよう、ほぼ腰高の位置にしている。これにより、この枕木用固定具１とパイプ３等を使用した安全帯支持装置によれば、作業者の作業性が向上する。なお、支柱４間には、パイプ３の代わりに親綱を連結することもできるし、パイプ３や親綱を使用せずに支柱４の上端部に直接、安全帯（命綱）５を連結するようにしても良い。また、支柱４に安全帯（命綱）５とは関係の無い夜間照明等の保線機器を連結することもできる。
【００１３】
枕木用固定具１は、図２〜図５に示すように、梁部１１と、一対の挟持枠１２，１２と、一対の第１クランプボルト１３，１３および第２クランプボルト１４，１４を有している。
【００１４】
梁部１１は、図２〜図５に示すように、枕木２の断面の横幅よりも長い一対の側板１１１，１１１の間に、底板１１２と、挟持枠１２，１２側の第２クランプボルト１４，１４の先端部が当接する一対の当接板１１３，１１３を設けて構成される。一対の側板１１１，１１１の両側には、それぞれ、一対の挟持枠１２，１２を回動自在に支持する軸部１１１ａ，１１１ａが設けられている。底板１１２には、その中央部に支柱４の基部を固定する支柱支持部１１５が立設されていると共に、その両側に枕木２を縦方向に押さえるための第１クランプボルト１３，１３が螺合する第１ボルト孔１１４，１１４が設けられている。なお、図において、１１６は、支柱４を支柱支持部１１５に固定するための支柱固定ネジである。また、図２〜図７は、支柱支持部１１５に支柱４を取付けていない状態を示しており、図８は、支柱支持部１１５に支柱４を取付けた状態を示している。
【００１５】
一対の挟持枠１２，１２は、図２〜図５に示すように、それぞれ、枕木２の断面の縦幅よりも長く、その下端部には、内側に延び枕木２の下側面に当接する下側面支持部１２１，１２１をボルト１２５により固定するための取付け孔１２４，１２４が設けられている一方、上端部より下がった位置で梁部１１両側の軸部１１１ａ，１１１ａにそれぞれ回動可能に取付けられている。また、その軸部１１１ａ，１１１ａより上側には、それぞれ、軸部１１１ａ，１１１ａから上端部に向かうに従って外側に傾斜した傾斜板１２３，１２３が設けられており、その傾斜板１２３，１２３に、枕木２を横方向に押さえるための第２クランプボルト１４，１４が螺合する第２ボルト孔１２２，１２２が設けられている。
【００１６】
そのため、この枕木用固定具１を枕木２に固定する場合には、図６（ａ）に示すように、第１クランプボルト１３，１３および第２クランプボルト１４，１４は予め緩めておき、梁部１１に対し一対の挟持枠１２，１２は、その下端部を広げておき、枕木２に対し挿入し易い状態に準備しておく。
【００１７】
そして、図６（ｂ）に示すように、この枕木用固定具１の一対の挟持枠１２，１２の間に枕木２を挿入して、例えば、まず、図７（ａ）に示すように、一対の挟持枠１２，１２側の第２クランプボルト１４，１４の先端部を梁部１１の左右両側の側面１１３，１１３にそれぞれ当接させて回転させることにより、一対の挟持枠１２，１２の下端部をそれぞれ枕木２の方に移動させて、一対の挟持枠１２，１２により枕木２をその左右両側から挟持する。
【００１８】
次は、この枕木用固定具１の梁部１１側の第１クランプボルト１３，１３を回転させてその先端のスイーベル部１３１，１３１を枕木２の上側面に押し付けて、第１クランプボルト１３，１３と、一対の挟持枠１２，１２それぞれの下側面支持部１２１，１２１とにより上下両側から枕木２を挟持する。
【００１９】
その結果、この枕木用固定具１によれば、第２クランプボルト１４，１４により調整しながら一対の挟持枠１２，１２により枕木２をその左右両方向から挟持できると共に、第１クランプボルト１３，１３により調整しながら第１クランプボルト１３，１３と一対の挟持枠１２，１２それぞれの下側面支持部１２１，１２１とにより上下方向から枕木２を挟持するため、枕木２の断面形状や断面の縦方向の長さが変更されたり、経年変化により枕木の断面に多少の寸法の違いが生じても、その変更や多少の寸法の違いに対応して枕木２に固定することができる。
【００２０】
また、この枕木用固定具１では、一対の挟持枠１２，１２の軸部１１１ａ，１１１ａより上部には、上方へ向かうに従って外側に傾斜する傾斜板１２３，１２３が設けられており、その傾斜板１２３，１２３に第２ボルト孔１２２，１２２が設けられているため、図６（ａ）に示すように，一対の挟持枠１２，１２の下端部をそれぞれ広げて、枕木２に取り付ける際には、その傾斜板１２３，１２３により、一対の挟持枠１２，１２の下端部をより広く開くことが可能となり、枕木２にこの枕木用固定具１を取り付ける際の取り付け作業性が向上する。
【００２１】
特に、この枕木用固定具１は、特定の一の形状の枕木２の取り付けに限定して使用するものではなく、断面形状が台形形状や、正方形状、さらには縦長または横長の長方形状等の複数種類の枕木２の取り付けに使用するので、その傾斜板１２３，１２３により、一対の挟持枠１２，１２の下端部がより広く開くことにより、複数種類の断面形状の枕木２により対応が容易となる。ただし、本発明においては、傾斜板１２３，１２３を設けることは任意であり、一対の挟持枠１２，１２の開口角度は狭くなるものの、傾斜させずに、鉛直板としても良い。
【００２２】
また、一対の挟持枠１２，１２の下側面支持部１２１，１２１の先端には、それぞれ、先端が鋭利に形成され上方に突出し、枕木２の下側面に突き刺さる先鋭突出部１２１ａ，１２１ａが設けられているため、図７（ｂ）に示すように、第１クランプボルト１３，１３を回転させてその先端のスイーベル部１３１，１３１を枕木２の上側面に押し付けた場合は、先鋭突出部１２１ａ，１２１ａが枕木２の下側面に突き刺さったり、突き刺さらないまでも食い込むため、枕木２に安定した状態で取り付けることが出来る。ただし、本発明においては、先鋭突出部１２１ａ，１２１ａを設けることも任意であり、省略しても良い。
【００２３】
さらに、一対の挟持枠１２，１２の下端部には、枕木２断面の縦方向の長さに応じて下側面支持部１２１，１２１の取り付け高さを変更できるよう上下方向に複数段（ここでは、説明の便宜上、例えば、３段とするが、３段に限定されるものではない。）の取付け孔１２４，１２４を設けている。そのため、この枕木用固定具１が取り付けるべき枕木２の断面の縦方向（上下方向）の長さが複数種類ある場合でも、一対の挟持枠１２，１２における下側面支持部１２１，１２１の取り付け高さを調整することにより、縦方向（上下方向）の長さが複数種類の枕木２に対応して、取り付けることができる。例えば、枕木２の断面形状が正方形の場合は、図８に示すように、中段の取付け孔１２４，１２４に下側面支持部１２１，１２１を取付ける一方、それより縦方向の長さが長い縦長の枕木２の場合は、図９に示すように、最下段の取付け孔１２４，１２４に下側面支持部１２１，１２１を取付け、縦方向の長さが短い横長の枕木２の場合は、図１０に示すように、最上段の取付け孔１２４，１２４に下側面支持部１２１，１２１を取付けることになる。ただし、本発明においては、下側面支持部１２１，１２１を設けることも任意であり、省略しても良い。
【符号の説明】
【００２４】
１  枕木用固定具
１１  梁部
１１１  側板
１１１ａ  軸部
１１２  底板
１１３  当接板
１１４  第１ボルト孔
１１５  支柱支持部
１１６  支柱固定ネジ
１２  挟持枠
１２１  下側面支持部
１２１ａ  先鋭突出部
１２２  第２ボルト孔
１２３  傾斜板
１２４  取付け孔
１３  第１クランプボルト
１３１  スイーベル部
１４  第２クランプボルト
２  枕木
３  パイプ
４  支柱
５  安全帯（命綱）
【図１】
2014055489.tif 000003
【図２】
2014055489.tif 000004
【図３】
2014055489.tif 000005
【図４】
2014055489.tif 000006
【図５】
2014055489.tif 000007
【図６】
2014055489.tif 000008
【図７】
2014055489.tif 000009
【図８】
2014055489.tif 000010
【図９】
2014055489.tif 000011
【図１０】
2014055489.tif 000012